(57)【特許請求の範囲】
【請求項１】
水密的に開閉される開閉蓋を有する所要形状の浮遊容器本体と、該浮遊容器本体の底部で、内外に連通して配列される噴射口とから成る浮遊体と、前記浮遊容器本体に収められる無害ガス発生体とから成り、該無害ガス発生体の水との反応で生ずるガス圧で水流を噴出させて動くことを特徴とする浮遊おもちゃにおいて、
前記開閉蓋が、スプリングの弾発力を介して注水口を開閉自在に閉止して成る浮遊おもちゃ。
【請求項２】
水密的に開閉される開閉蓋を有する所要形状の浮遊容器本体と、該浮遊容器本体の底部で、内外に連通して所要半径の円周上で接線方向に複数個配列される噴射口とから成る浮遊体と、前記浮遊容器本体に収められる無害ガス発生体とから成り、該無害ガス発生体の水との反応で生ずるガス圧で水流を噴出させて動くことを特徴とする浮遊おもちゃにおいて、
前記浮遊容器本体が平面視花房状にして、該浮遊容器本体の浮遊姿勢に整合する前記開閉蓋の内部には、振動モータと、電源と、該振動モータの存在と前記噴射口の存在とを条件とする遠心力によって作動するスイッチと、これらを電気的に接続する電気回路と、該電気回路のスイッチの閉状態で点灯する複数のＬＥＤとが収納されて成り、花房が回転することを特徴とする浮遊おもちゃ。
【発明の詳細な説明】
【技術分野】
【０００１】  本発明は、水中主として浴槽中で、幼児や子供の遊具となる浮遊おもちゃに関する。
【背景技術】
【０００２】  ゼンマイ仕掛けやゴムの捩り弾発力でスクリューを回転させて推進する船などの推進おもちゃは、従来から提供されているが、入浴剤による発生ガス（炭酸ガス）を動力として浴槽中で遊ばれる浮遊おもちゃは提案されていない。
なお、子供のおもちゃに兼用できるとする特開２００４−２３９５７０号公報に提案されている技術は、電池によるモーターでスクリューが駆動されるため安全ではない。
【特許文献１】  特開２００４−２３９５７０号公報
【発明の開示】
【発明が解決しようとする課題】
【０００３】  本発明は、入浴のとき浴槽に入れる入浴剤の発泡現象に着目し、発生する炭酸ガスの圧力を動力とする幼児や子供向けの安全な浮遊おもちゃの提供をその目的とする。
【課題を解決するための手段】
【０００４】  本発明の請求項１記載の浮遊おもちゃは、水密的に開閉される開閉蓋を有する所要形状の浮遊容器本体と、該浮遊容器本体の底部で、内外に連通して配列される噴射口とから成る浮遊体と、前記浮遊容器本体に収められる無害ガス発生体とから成り、該無害ガス発生体の水との反応で生ずるガス圧で水流を噴出させて動くことを特徴とする浮遊おもちゃにおいて、
前記開閉蓋が、スプリングの弾発力を介して注水口を開閉自在に閉止して成る。
また、請求項２記載の発明は、水密的に開閉される開閉蓋を有する所要形状の浮遊容器本体と、該浮遊容器本体の底部で、内外に連通して所要半径の円周上で接線方向に複数個配列される噴射口とから成る浮遊体と、前記浮遊容器本体に収められる無害ガス発生体とから成り、該無害ガス発生体の水との反応で生ずるガス圧で水流を噴出させて動くことを特徴とする浮遊おもちゃにおいて、
前記浮遊容器本体が平面視花房状にして、該浮遊容器本体の浮遊姿勢に整合する前記開閉蓋の内部には、振動モータと、電源と、該振動モータの存在と前記噴射口の存在とを条件とする遠心力によって作動するスイッチと、これらを電気的に接続する電気回路と、該電気回路のスイッチの閉状態で点灯する複数のＬＥＤとが収納されて成り、花房が回転することを特徴とする。
【発明の効果】
【０００５】  本発明の浮遊おもちゃによれば、幼児や子供の入浴時の入浴剤の溶解拡散とともに、そのとき発生する炭酸ガスを動力として浴槽中を安全に動き回らせるので、入浴の一時を楽しくすることができるなど、一石二鳥の効果に加えて、炭酸ガスの発生時での開閉蓋の開閉が簡易となって、お湯の供給が極めて楽であり、また、浮遊おもちゃの回転では綺麗な花びらが発現するなど、目視上からも楽しいものとなるなどの効果がある。
【発明を実施するための最良の形態】
【０００６】  本発明の浮遊おもちゃにおける浮遊容器本体は、お湯や水を入れたときに、安定して浮遊するための翼部や空気室なども設けられ、また、浮遊容器本体の底部に配列される噴射口は、圧力を集中するための所要長さを有するもので、その向きは、水平もしくはやや下向きに傾斜して直進方向に対応して配列されるものから、回転運動する向きに配列されるものなどであり、その数は単列のものから複数列のもので提供される。さらに、お湯や水の注水口を開閉する開閉蓋は、その都度手で水密的に開閉されるものや、発生ガスの発生状況により弁の操作で開閉されるものも提供される。このほか、無害ガス発生体は固形のものから顆粒状のものまで対象とされる。
【実施例】
【０００７】本発明の図１に示す浮遊おもちゃＢについて説明すると、浮遊体１は船の形状をした浮遊容器本体２にお湯と固形の入浴剤５が封入されて遊ばれるものであり、浮遊容器本体２はキャビン８の部分が下端の柔軟性のある反り部２ｂ（仮想線で示すビスによる取着もよし）を介して開口部９に対して着脱自在にかつ水密的に接合され、この開口部９から入浴剤５が収納されるものであるが、前記キャビン８には、その上部中央に開口された注水口８ａをスプリング８ｄの弾発力を介して閉止する開閉蓋８ｃが設けられ、浮遊容器本体２の船尾下方には、内外に連通する噴射口３が貫設された一本の噴射管３ａが設けられ、船底の左右には重り２ｄが垂下されて成る。
この浮遊おもちゃＢは入浴剤５がお湯に反応して炭酸ガスを発生し、その圧力で浮遊容器本体２内のお湯が噴射口３から噴出し、その反力で浮遊おもちゃＢは前進する。浮遊体１にお湯がなくなったら開閉蓋８ｃの上端のボタン８ｅを押し下げれば、注水口８ａが開口されるから、浮遊体１を沈めれば注水口８ａからお湯が浮遊容器本体２内に注水され、適度な注水量を以てボタン８ｅを放せば浮遊容器本体２内は密閉状になるから、再び炭酸ガスの圧力で浮遊おもちゃＢは動きだす。
これらの繰り返しで、入浴しながらの遊びの中で、浴槽４に入浴剤５が溶解拡散されるのである。
次の、図２に示した浮遊おもちゃＣは、平面視花房状の浮遊容器本体２において、その底部に所要半径の円周上で、均等４箇所の接線方向で内外に連通する噴射口３を開口した噴射管３ａを配列し、上部にはその中央に開閉蓋１０が水密的に螺合され、該開閉蓋１０の内部には図３に示すように、上端の密閉蓋１０ａに閉塞されて、振動モータ１１とボタン電池の電源１２と、該振動モータ１１の存在と前記噴射口３の存在とを条件とする遠心力によって作動するスイッチ１３と、これらを電気的に接続する電気回路１４と、該電気回路１４のスイッチ１３の閉状態で複数色に発光して点灯する複数のＬＥＤ１５が収納されて成る。
したがって、この浮遊おもちゃＣによれば、前記と同様に浮遊容器本体２内にお湯と入浴剤５が入れられ、発生する炭酸ガスは四方の噴射管３ａの噴射口３から内部のお湯を噴出させるため、浮遊体１は平面視右回転することになる。このとき、浮遊容器本体２の上部で該浮遊容器本体２の浮遊姿勢に整合する開閉蓋１０の内部に設けられたスイッチ１３は、この回転による遠心力でＯＮ状態になり、振動モータ１１が駆動されるとともに、ＬＥＤが点灯し、綺麗な色の花びらの回転するおもちゃとなるのである。
なお、この浮遊おもちゃＣでは、開閉蓋１０を外せば浮遊容器本体２内にお湯を入れることができるが、左右に螺設したキャップ１６を外して注水することもできる。
このように、本発明の浮遊おもちゃは各種の形態で提供され、浴槽の中で入浴剤を溶解拡散させながら、安全に楽しく遊ばれるものである。
【産業上の利用可能性】
【０００８】  本発明の浮遊おもちゃは、発生ガスの圧力のみで動くものであるから浴槽中でも安全であり、幼児や子供にとっては、入浴時の楽しみとなってその需要が期待され、しかも、無害ガス発生体としての入浴剤が不可欠であるから、その需要も大いに期待されるものである。例えば、浮遊おもちゃに予め入浴剤を入れて販売するなど、入浴剤の産業分野がおもちゃの産業分野を利用する形態でその販路拡大が図られる。
【図面の簡単な説明】
【０００９】
【図１】  本発明の浮遊おもちゃＢで遊ぶ状態の説明用縦断面図。
【図２】  本発明の浮遊おもちゃＣの平面図。
【図３】  同上浮遊おもちゃＣで遊ぶ状態の説明用縦断面図。
【符号の説明】
【００１０】１  浮遊体
２  浮遊容器本体
２ｄ  重り
３  噴射口
３ａ  噴射管
４  浴槽
５  入浴剤
８  キャビン
８ａ  注水口
８ｂ  反り部
８ｃ  開閉蓋
８ｄ  スプリング
８ｅ  ボタン
９  開口部
１０  開閉蓋
１０ａ  密閉蓋
１１  振動モータ
１２  電源
１３  スイッチ
１４  電気回路
１５  ＬＥＤ
１６  キャップ
Ｂ乃至Ｃ  浮遊おもちゃ
【図１】
0004640606.tif 000002
【図２】
0004640606.tif 000003
【図３】
0004640606.tif 000004